(57)【特許請求の範囲】
【請求項１】
リール本体に対して前後移動可能かつ回転不能なスプール軸の先端部に断面が非円形に形成された非円形部に装着可能なスピニングリールのスプールであって、
釣り糸を巻付可能な糸巻胴部と、前記糸巻胴部の内周部にドラグ座金を収納可能に形成されたドラグ収納部と、を有するスプール本体と、
前記スプール軸の非円形部に回転不能に係合する係合孔を有し、前記糸巻胴部の内周側に配置され、前記スプール本体を回転自在に支持する合成樹脂製の筒状の軸受部材と、を備え、
前記スプール軸の前記非円形部には、他の部分より周方向に凹んで形成された溝部が形成されており、
前記軸受部材は、前記溝部に係止可能に前記係合孔に径方向内方に突出して形成された抜け止め突起を有し、
前記係合孔は、対向して同芯に配置された２つの円弧部分の両端を平行な２つの弦部分で連結した断面形状を有し、
前記抜け止め突起は、前記２つの円弧部分の少なくとも一部から前記スプール軸芯に向けて突出して形成されている、スピニングリールのスプール。
【請求項２】
前記抜け止め突起は、前記係合孔の一端側の前記２つの円弧部分に形成されている、請求項１に記載のスピニングリールのスプール。
【発明の詳細な説明】
【技術分野】
【０００１】
本発明は、スプール、特に、リール本体に対して前後移動可能かつ回転不能なスプール軸の先端部に形成された非円形部に装着可能なスピニングリールのスプールに関する。
【背景技術】
【０００２】
スピニングリール、特に、フロントドラグ型のスピニングリールには、スプールにドラグ力を作用させるために、スプール軸の先端部に平行な対向面で構成された非円形部が形成されている。フロントドラグ型のスピニングリールの場合、スプール軸は、リール本体に対して前後移動可能かつ回転不能であり、スプールは、スプール軸に対して回転可能である。そして、スプールは、ドラグ機構により糸繰り出し時に制動されるように構成されている。
【０００３】
このようなフロントドラグ型のスピニングリールにおいて、ドラグ作動時のスプールの糸繰り出し方向の回転を滑らかにするために、スプール軸とスプールとの間に玉軸受を配置したスプールが従来知られている（たとえば、特許文献１参照）。
【０００４】
従来のスピニングリールのスプールは、スプール本体と、スプール軸の非円形部に回転可能に装着された筒状部材と、筒状部材に間隔を隔てて装着されスプール本体を回転自在に支持する１対の玉軸受と、を有している。筒状部材は、非円形部でスプール軸を貫通するねじ部材によりスプール軸に前後移動不能かつ回転不能になっている。
【０００５】
これにより、スプール軸とスプール本体との間でのがたつきが生じにくくなり、ドラグ作動時の回転が滑らかになる。
【特許文献１】特開２０００−１３９２８６号公報
【発明の開示】
【発明が解決しようとする課題】
【０００６】
前記従来の構成では、スプール軸に対して回転不能な筒状部材を設け、それに１対の軸受を配置しているので、ドラグ作動時の回転が滑らかになる。しかし、筒状部材や玉軸受が必要なため、構成が複雑になるとともに、比較的高価な玉軸受を２つ用いているので、スプールの価格の上昇を招く。
【０００７】
本発明の課題は、スピニングリールのスプールにおいて、価格上昇を抑えてスプール軸とのがたつきを生じにくくすることにある。
【課題を解決するための手段】
【０００８】
発明１に係るスピニングリールのスプールは、リール本体に対して前後移動可能かつ回転不能なスプール軸の先端部に断面が非円形に形成された非円形部に装着可能なスプールであって、スプール本体と、軸受部材と、を備えている。スプール本体は、釣り糸を巻付可能な糸巻き胴部と、糸巻き胴部の内周部にドラグ座金を収納可能に形成されたドラグ収納部と、を有している。軸受部材は、スプール軸の非円形部に回転不能に係合する係合孔を有し、糸巻き胴部の内周側に配置され、スプール本体を回転自在に支持する合成樹脂製の筒状部材である。スプール軸の非円形部には、他の部分より周方向に凹んで形成された溝部が形成されている。軸受部材は、溝部に係止可能に係合孔に径方向内方に突出して形成された抜け止め突起を有している。係合孔は、対向して同芯に配置された２つの円弧部分の両端を平行な２つの弦部分で連結した断面形状を有している。抜け止め突起は、２つの円弧部分の少なくとも一部からスプール軸芯に向けて突出して形成されている。
【０００９】
このスプールでは、スプール軸に装着すると、糸巻き胴部の内周面に配置された軸受部材の係合孔が非円形部に係合する。これにより、合成樹脂製の軸受部材がスプール軸に対して回転不能になるとともに、軸受部材の外周面と糸巻き胴部の内周面との間でスプール本体と軸受部材とが回転自在になる。このため、糸巻き胴部が軸受部材の円形の外周面に支持されドラグが作動してもスプール本体がスプール軸に対してスムーズに回転する。ここでは、合成樹脂製の筒状の軸受部材の係合孔でスプール軸の非円形部に係合させているので、簡素な構成で軸受部材を精度良く回り止めでき、価格上昇を抑えてスプール軸と軸受部材とのがたつきを生じにくくすることができる。
【００１０】
また、スプール軸に設けられた溝部により軸受部材に形成された抜け止め突起が係止されるので、スプールをスプール軸から外しても、軸受部材がスプール軸に残る。このため、軸受部材がスプール本体から外れることによる軸受部材の脱落を防止できる。
【００１１】
さらに、スプール軸の非円形部に係合する係合孔が１対の円弧部分と弦部分とで構成されるので、非円形部や係合孔を形成しやすくなる。
【００１２】
さらにまた、ロータを外すために軸受部材を外す必要がある場合、円弧部分の少なくとも一部にだけ抜け止め突起が形成されているので、軸受部材を外しやすくなる。すなわち、スプール軸の先端側に向けて軸受部材を引っ張れば、合成樹脂の弾性により抜け止め突起がたわんで溝部から外れ、軸受部材をスプール軸から外しやすくなる。とくに、抜け止め突起を円弧部分の一部に形成すれば、抜け止め突起がよりたわみやすくなり、軸受部材を外しやすくなる。
【００１３】
発明２に係るスピニングリールのスプールは、発明１に記載のスプールにおいて、抜け止め突起は、係合孔の一端側の２つの円弧部分に形成されている。この場合には、抜け止め突起が軸受部材の一端側に形成されているので、抜け止め突起を形成しやすくなる。
【発明の効果】
【００１４】
本発明によれば、合成樹脂製の筒状の軸受部材の係合孔でスプール軸の非円形部に係合させているので、簡素な構成で軸受部材を精度良く回り止めでき、価格上昇を抑えてスプール軸と軸受部材とのがたつきを生じにくくすることができる。
【発明を実施するための最良の形態】
【００１５】
図１及び図２において、本発明の一実施形態を採用したスピニングリールは、ハンドル組立体１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル組立体１は、図１に示すリール本体２の左側と、リール本体２の右側とのいずれにも装着可能である。
【００１６】
リール本体２は、図１及び図２に示すように、開口２ｄを有する、例えばアルミニウム合金や合成樹脂製のリールボディ２ａと、開口２ｄを塞ぐようにリールボディ（図２）２ａに着脱自在に装着された、例えばアルミニウム合金や合成樹脂製の蓋部材（図１）２ｂと、リールボディ２ａから斜め上前方に延びる竿取付脚２ｃとを有している。  図２に示すように、リールボディ２ａは、内部に空間を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００１７】
ロータ駆動機構５は、図２に示すように、ハンドル組立体１のハンドル軸１０が固定されたメインギア軸１１ａとともに回転するメインギア１１と、このメインギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、リールボディ２ａに間隔を隔てて装着された軸受１４ａ，１４ｂによりリールボディ２ａに回転自在に支持されている。
【００１８】
オシレーティング機構６は、スプール４がドラグ機構６０を介して先端部に連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００１９】
スプール軸１５は、ピニオンギア１２の中心部を貫通して配置されている。スプール軸１５は、ピニオンギア１２の内部をオシレーティング機構６により前後に往復移動する。スプール軸１５は、中間部がナット１３内に装着された軸受１６により、後部がピニオンギア１２の後部内周面により、回転自在かつ軸方向移動自在に支持されている。スプール軸１５がピニオンギア１２と相対回転しながら前後移動するときに、ピニオンギア１２にスプール軸１５がかじりつくのを防止するために、スプール軸１５の表面には、無電解Ｎｉメッキが施されている。
【００２０】
図４に示すように、スプール軸１５の先端部には、互いに平行な面で構成された回り止めのための非円形部１５ａと、ドラグ調整用の雄ねじ部１５ｂとが形成されている。非円形部１５ａは、対向して配置された１対の円弧部と１対の平行な弦部とで構成された概ね長円形のスロット形状の断面を有している。また、非円形部１５ａの基端側には、他の部分より周方向に凹んで形成された溝部１５ｃが形成されている。溝部１５ｃは、図４から明らかなように、対向する円弧部は非円形部１５ａより僅かに小径であり、平行に配置された対向する弦部は非円形部１５ａと同じ間隔である。スプール軸１５には、後述するドラグ発音機構８５を構成する発音部材８６が装着されているとともに、発音部材８６の前面には、スプール４のスプール軸方向の位置を調整するための３枚の調整座金８８が装着されている。
【００２１】
発音部材８６は、金属製の部材であり、非円形部１５ａに係合するスロット形状の係合孔８６ａを有している。発音部材８６は、スプール４の後方への移動を規制してドラグ力を発生させる機能も有している。調整座金８８は弾性を有する合成樹脂製であり、溝部１５ｃに係合するスロット形状の係合孔８８ａを有している。したがって、調整座金８８は、溝部１５ｃから外れにくくなっている。  ロータ３は、図２に示すように、筒状の連結部３０と、連結部３０の側方に互いに対向して設けられた第１及び第２ロータアーム３１，３２とを有するロータ本体３３と、ロータ本体３３に糸巻取姿勢と糸開放姿勢とに揺動自在に装着されたベールアーム３４と、を有している。連結部３０と両ロータアーム３１，３２と有するロータ本体３３は、たとえばアルミニウム合金や合成樹脂製であり一体成形されている。
【００２２】
＜スプールの構成＞
スプール４は、図２に示すように、ロータ３の第１ロータアーム３１と第２ロータアーム３２との間に配置されており、スプール軸１５の先端部の非円形部１５ａにドラグ機構６０を介して装着可能なものである。スプール４は、図３に示すように、スプール本体７と、スプール本体７に装着された軸受部材８と、を備えている。
【００２３】
スプール本体７は、釣り糸を外周に巻付可能な、たとえばアルミニウム合金製の糸巻き胴部７ａと、糸巻き胴部７ａの後部に一体で形成されたスカート部７ｂと、糸巻き胴部７ａの前端に一体形成された前フランジ部７ｃと、糸巻き胴部７ａの内周部にドラグ機構６０を装着可能に形成されたドラグ収納部７ｄと、を有している。
【００２４】
糸巻き胴部７ａは、円筒状の部材であり、外周面はスプール軸１５と平行な周面で構成されている。糸巻き胴部７ａは、釣り糸が巻き付けられる筒状部７ｅと、筒状部７ｅの内周面に一体形成された円板状の支持壁部７ｆと、支持壁部７ｆの内周側に形成された筒状の軸支持部７ｇと、を有している。この軸支持部７ｇの内周面に軸受部材８が回転可能に装着されている。
【００２５】
スカート部７ｂは、糸巻き胴部７ａの後方から径方向に延びる後フランジ部７ｈと、後フランジ部７ｈの外周側から後方に筒状に延びる円筒部７ｉと、を有している。この円筒部７ｉの内側にロータ３の連結部３０が配置されている。スカート部７ｂの円筒部７ｉには、面取りされた環状溝７ｋと、環状溝７ｋ内に周方向に間隔を隔てて形成された複数のスリット７ｍと、が形成されている。  前フランジ部７ｃは、この実施形態では、糸巻き胴部７ａと一体形成されている。しかし、前フランジ部は、糸巻き胴部と別体で形成されていてもよい。この場合、前フランジ部をボルトなどにより糸巻き胴部に固定してもよいし、糸巻き胴部に固定可能なフランジ固定部材により糸巻き胴部に固定してもよい。
【００２６】
ドラグ収納部７ｄは、糸巻き胴部７ａの内部において、支持壁部７ｆの前方に円形に凹んで形成されている。なお、ドラグ収納部は、糸巻き胴部と別体で形成されていてもよい。
【００２７】
ドラグ収納部７ｄの内部には、ドラグ機構６０の後述する摩擦部６２が収納されている。ドラグ収納部７ｄは、周方向に間隔を隔てて形成された複数（たとえば、２つ）の断面が非円形（たとえば矩形）の係止溝７ｊを内周面に有している。
【００２８】
軸受部材８は、図４からび図６に示すように、たとえばポリアセタール樹脂のように摺動性が高く硬質でかつ弾性を有する合成樹脂製の筒状部材であり、滑り軸受として機能するものである。軸受部材８は、スプール軸１５の非円形部１５ａに回転不能に係合する係合孔８ａを有し、糸巻き胴部７ａの軸支持部７ｇの軸方向長さと実質的に同じ長さを有している。軸受部材８は、軸支持部７ｇの内周側に配置され、スプール本体７を回転自在に支持する。係合孔８ａは、対向して同芯に配置された２つの円弧部分８ｃの両端を２つの弦部分８ｄで連結した非円形部１５ａと同様な断面形状を有している。また、軸受部材８は、溝部１５ｃに係止可能に係合孔８ａに径方向内方に突出して形成された抜け止め突起８ｂをさらに有している。抜け止め突起８ｂは、係合孔８ａの後端において、２つの円弧部分８ｃの一部である中央部からスプール軸芯Ｘに向けて突出して形成されている。
【００２９】
このような構成のスプール４をスプール軸１５に装着すると、糸巻き胴部７ａの内周面に配置された軸受部材８の係合孔８ａが非円形部１５ａの外周面の略全面に接触して係合する。これにより、合成樹脂製の軸受部材８がスプール軸１５に対して回転不能になるとともに、軸受部材８の外周面と糸巻き胴部７ａの内周面との間でスプール本体７と軸受部材８とが回転自在になる。このため、糸巻き胴部７ａが軸受部材８の円形の外周面に支持されドラグが作動してもスプール本体７がスプール軸１５に対してスムーズに回転する。    
【００３０】
ここでは、合成樹脂製の筒状の軸受部材８の係合孔８ａでスプール軸１５の非円形部１５ａに係合させているので、簡素な構成で軸受部材８を精度良く回り止めでき、価格上昇を抑えてスプール軸１５と軸受部材８とのがたつきを生じにくくすることができる。
【００３１】
＜ドラグ機構の構成＞
ドラグ機構６０は、図３に示すように、スプール４の糸繰り出し方向への回転を制動してスプール４にドラグ力を作用させるための機構である。ドラグ機構６０は、ドラグ力を手で調整するためのドラグつまみ組立体６１と、ドラグつまみ組立体６１によりスプール４側に押圧されてドラグ力が調整される、たとえば３枚のドラグ座金６２ａ〜６２ｃを有する摩擦部６２と、ドラグ作動時に発音するドラグ発音機構８５と、を備えている。
【００３２】
ドラグつまみ組立体６１は、第１部材６６及び第１部材６６に対して相対回転する第２部材６７を有するつまみ部６３と、つまみ部６３とスプール４との隙間及び第１部材６６と第２部材６７との隙間をシールするシール部材６４と、第１部材６６と第２部材６７との相対回転により発音するつまみ発音機構（図示せず）と、を有している。
【００３３】
第１部材６６は、リング状の鍔部６６ａと、鍔部６６ａより小径の円筒部６６ｂとを有する鍔付き筒状の、たとえば、合成樹脂製の部材である。第１部材６６は、スプール軸１５に回転不能かつ軸方向移動自在に設けられている。鍔部６６ａの前端面には、つまみ発音機構を構成する音出し凹部６９が一体回転可能に設けられている。
【００３４】
円筒部６６ｂの内周部には、スプール軸１５の非円形部１５ａに回転不能に係合する長円状の係止スロット６６ｃが形成されている。円筒部６６ｂの外周面のシール部材６４の装着部分の後部には、シール部材６４を装着するための環状溝６６ｄが形成されている。この円筒部６６ｂの後端面が摩擦部６２のドラグ座金６２ａに当接する。
【００３５】
第２部材６７は、第１部材６６に対向して配置され、第１部材６６と相対回動自在に設けられている。第２部材６７は、スプール軸１５に螺合するとともに、鍔部６６ａを覆うように第１部材６６に向けて筒状に突出する部材である。第２部材６７は、つまみ体７１と、つまみ体７１に回転不能かつ軸方向移動自在に装着され、スプール軸１５に螺合するナット部７２と、ナット部７２と第１部材６６との間に圧縮状態で配置されたコイルばねからなるばね部材７３とを有している。
【００３６】
つまみ体７１は、合成樹脂製の筒状のつまみ本体７５と、つまみ本体７５の前面に径方向に沿って固定された金属製の操作つまみ７６と、を有している。
【００３７】
ナット部７２は、たとえば六角ナットであり、スプール軸１５の先端外周面に形成された雄ねじ部１５ｂに螺合し、つまみ本体７５の回動に応じてばね部材７３を圧縮する。
【００３８】
シール部材６４は、たとえば合成ゴム製の円板状の部材である。シール部材６４は、スプール４の前フランジ部７ｃの内周面と第１部材６６の円筒部６６ｂの外周面との間に配置されている。シール部材６４は、環状溝６６ｄに装着される環状突起６４ａを内周面に有している。また、円筒部６６ｂの装着面からつまみ本体７５の後端面に接触し、さらに前フランジ部７ｃの内周面にＳ字状に湾曲して径方向外方に延びている。この結果、シール部材６４は、スプール４とドラグつまみ組立体６１との隙間及び第１部材６６と第２部材６７の隙間の２つの隙間を同時にシールできる。
【００３９】
摩擦部６２は、前述したようにドラグ収納部７ｄに装着されている。ドラグ座金６２ａは、図３に示すように、第１部材６６に接触し、かつスプール軸１５の非円形部１５ｃに係合してスプール軸１５に対して回転不能な金属製の円板部材である。ドラグ座金６２ｂは、スプール４のドラグ収納部７ｄに形成された係止溝７ｊに係合してスプール４と一体回転可能な金属製の円板部材である。ドラグ座金６２ｃは、ドラグ座金６２ａと同様にスプール軸１５に対して回転不能な金属製の円板部材である。ドラグ座金６２ａ〜６２ｃの間及びドラグ座金６２ｃとドラグ収納部７ｄの間には、ドラグディスク６２ｄが配置されている。ドラグディスク６２ｄは、スプール４及びスプール軸１５に対して回転自在なたとえばフェルト製又はグラファイト製の円板部材である。
【００４０】
ドラグ発音機構８５は、ドラグの作動によりスプール軸１５とスプール４とが相対回転すると発音する機構である。ドラグ発音機構８５は、図３に示すように、スプール軸１５の非円形部１５ａの後端部に装着される円板状の発音部材８６と、糸巻き胴部７ａの後端面に揺動自在に装着され発音部材８６に対して打撃を繰り返す爪部材８７と、を有している。発音部材８６は、図４に示すように、後方への移動が規制された状態で非円形部１５ａに回転不能に装着された円板状の部材であり、外周に周方向に間隔を隔てて形成された凹凸部８６ｂを有している。この凹凸部８６ｂに爪部材８７が衝突を繰り返すことにより、ドラグ作動時にスプール４が回転すると発音する。
【００４１】
＜リールの操作及び動作＞
釣りを行う前に魚の大きさや種類に合わせてドラグ力を調整する。ドラグ力を調整するには、ドラグつまみ組立体６１を回す。ドラグつまみ組立体６１をたとえば時計回りに回すと、スプール軸１５に螺合するナット部７２によりばね部材７３を介して第１部材６６が摩擦部６２側に押圧される。これによりドラグ力が大きくなる。
【００４２】
キャスティング時には、ベールアーム３４を糸開放姿勢に反転させる。この状態で釣り竿を握る手の人差し指で釣り糸を引っかけながら釣り竿をキャスティングする。すると釣り糸は仕掛けの重さにより勢いよく放出される。この状態でハンドル組立体１を糸巻取方向に回転させると、ロータ駆動機構５によりロータ３が糸巻取方向に回転し、ベールアーム３４がベール反転機構（図示せず）により糸巻取位置に復帰し、釣り糸がベールアーム３４からスプール４に巻き付けられる。
【００４３】
釣りを行っているときに、大きな魚がかかって設定されたドラグ力を超えた力が釣り糸に作用すると、ドラグが作動してスプール４が糸繰り出し方向に回転する。このとき、スプール本体７が、スプール軸１５の非円形部１５ａに回転不能に係合する係合孔８ａが設けられた合成樹脂製の軸受部材８により支持されている。このため、簡素な構成で軸受部材８を精度良く回り止めでき、価格上昇を抑えてスプール軸１５と軸受部材８とのがたつきを生じにくくすることができる。
【００４４】
また、スプール軸１５に設けられた溝部１５ｃにより、軸受部材８に形成された抜け止め突起８ｂが係止されるので、スプール４をスプール軸１５から外しても、軸受部材８がスプール軸１５に残る。このため、軸受部材８がスプール本体７からに外れることによる軸受部材８の脱落を防止できる。  さらに、スプール軸１５の非円形部１５ａに係合する係合孔８ａが１対の円弧部分と弦とで構成されるので、非円形部１５ａや係合孔８ａを形成しやすくなる。
【００４５】
また、ロータ３を外すために軸受部材８を外す必要がある場合、円弧部分８ｃの少なくとも一部にだけ抜け止め突起８ｂが形成されているので、軸受部材８を外しやすくなる。すなわち、スプール軸１５の先端側に向けて軸受部材８を引っ張れば、合成樹脂の弾性により抜け止め突起８ｂがたわんで溝部１５ｃから外れ、軸受部材８をスプール軸１５から外しやすくなる。とくに、この実施形態では、抜け止め突起８ｂを円弧部分８ｃの一部に形成しているので、抜け止め突起８ｂがよりたわみやすくなり、軸受部材８をさらに外しやすくなる。
【００４６】
また、抜け止め突起８ｂが、係合孔８ａの一端側内周部に形成されているので、抜け止め突起８ｂを形成しやすくなる。
【００４７】
＜他の実施形態＞
（ａ）前記実施形態では、軸受部材８を軸支持部７ｇと同じ軸方向長さにした。しかし、本発明はこれに限定されない。図７に示すように、スプール１０４では、スプール本体１０７の糸巻き胴部１０７ａの軸支持部１０７ｇの半分よりやや長い軸方向長さで軸受部材１０８が形成されている。軸支持部１０７ｇの内周面は、図示は省略しているが、スプール軸１５の外形より僅か（たとえば：０．１ｍｍから２ｍｍ）に大径に形成されており、非円形部１５ａに接触しないようになっている。なお、スプール１０４のその他の構成は前記実施形態と同様のため、符号及び構成の説明は省略する。
【００４８】
このような構成でも前記実施形態と同様な効果を得ることができる。
【００４９】
（ｂ）前記実施形態では、軸受部材を筒状部材で構成した。しかし、本発明はこれに限定されない。図８に示すように、スプール２０４では、スプール本体２０７の糸巻き胴部２０７ａの軸支持部２０７ｇに段付きの装着孔２０７ｋが形成されている。軸受部材２０８は、大径の鍔部２０８ｅと筒状部２０８ｆとを有する鍔付き円筒状に形成されている。
【００５０】
この場合、スプール２０４をスプール軸１５から外す場合、鍔部２０８ｅによりスプール本体２０７とともに軸受部材２０８はスプール軸１５から外れる。このため、抜け止め突起は形成されていない。なお、スプール２０４のその他の構成は前記実施形態と同様のため、符号及び構成の説明は省略する。
【００５１】
このような構成でも前記実施形態と同様な効果を得ることができる。
【００５２】
（ｃ）前記実施形態では、スプール軸１５の非円形部１５ａを１対の円弧部分と弦部分とを有する長円形形状に形成し、非円形部１５ａに係合する軸受部材８の係合孔８ａも同様な形状であるが、非円形部及び係合孔の形状は前記実施形態に限定されない。たとえば、非円形部の形状は矩形等の多角形断面や楕円断面等でもよい。
【図面の簡単な説明】
【００５３】
【図１】本発明の一実施形態を採用したスピニングリールの側面図。
【図２】その縦断面図。
【図３】スプールの断面拡大図。
【図４】軸受部材とその周辺の部材とスプール軸との関係を示す斜視図。
【図５】軸受部材の背面図。
【図６】図５のVI-VI断面図。
【図７】他の実施形態の図３に相当する図。
【図８】さらに他の実施形態の図３に相当する図。
【符号の説明】
【００５４】
２  リール本体
４，１０４，２０４  スプール
７，１０７，２０７  スプール本体
７ａ，１０７ａ，２０７ａ  糸巻き胴部
７ｄ  ドラグ収納部
８，１０８，２０８  軸受部材
８ａ  係合孔
８ｂ  抜け止め突起
８ｃ  円弧部分
８ｄ  弦部分
【図１】
0005205121.tif 000002
【図２】
0005205121.tif 000003
【図３】
0005205121.tif 000004
【図４】
0005205121.tif 000005
【図５】
0005205121.tif 000006
【図６】
0005205121.tif 000007
【図７】
0005205121.tif 000008
【図８】
0005205121.tif 000009